(57)【要約】      （修正有）【課題】裸眼立体視表示で広範囲で奥行感並びに飛び出し感を与える表示では、平面表示になる位置を無くし平面スクリーン部で裸眼立体表示できるディスプレーを提供する。【解決手段】レンチキュラーレンズに複数の液晶シャッターユニット２でレンズに沿った開閉部を設けて左映像入力検出部６及び右映像入力検出部７により、プロセッサ部９で液晶シャッターユニット２の切り替え順序を順方向及び逆方向に切り替えて光の進行方向を変え光出力する。２Ｄ映像入力検出部８で検出時、液晶シャッターユニット２を全て開放して表示部と垂直方向に光出力するようにしたものである。【選択図】図１
0003176933.tif 000002
【実用新案登録請求の範囲】
【請求項１】
立体表示に対して、液晶表示部と光分散する凹レンズと液晶シャッターユニットを複数並べて組み合わせたレンチキュラーレンズシートユニットを前面に配置させて、左右映像入力検出部からの信号によりプロセッサ部で切り換えモジュール部を液晶シャッターコントロール部の制御手段にて、一方高周波パルス発振回路からパルス信号でカウンタで計数されて各液晶シャッターユニットの開閉の順序を順方向もしくは逆方向に液晶シャッターコントロール部から切り換え、ＤＡＣ回路を介して液晶シャッターユニットを切り替えて液晶表示部からの映像情報を凹レンズとともに光屈折率を制御して、多方向に視差を作ることを特徴とした多視差レンチキュラーレンズシート。
【請求項２】
液晶シャッターユニットで複数個並べた液晶シャッターをレンチキュラーレンズシートユニットと凹レンズと液晶表示部の間に挟み、ＤＡＣ回路に並列接続して同時に作動させることを特徴とする請求項１記載の多視差レンチキュラーレンズシート。
【請求項３】
液晶シャッターユニットを切り換えるカウンタへ２Ｄ映像入力検出部から検出信号が入るとプロセッサを介して、カウンタの計数動作を停止したのち液晶シャッターユニットを全て開放して２Ｄ映像を見やすくすることを特徴とする請求項１及び請求項２記載の多視差レンチキュラーレンズシート。
【考案の詳細な説明】
【技術分野】
【０００１】  本考案は、立体表示に使う多方向に複数の映像を振り分けて、視野角度を拡張させるレンキュラーレンズと制御装置に関するものである。
【背景技術】
【０００２】  このレンチキュラーレンズは、立体表示等で複数の重なった映像を分離して立体像を作る場合、多視差の方向へ拡げることを目的とする裸眼立体視用レンズシートである。従来のレンチキュラーレンズは、正確に多視差の映像を作れず立体にならない死角が発生する問題があった。【０００３】  画面に設けたレンチキュラーレンズを通して平面映像を見ると映像のピントがぼけて見えて鑑賞に堪えないばかりか画面から任意に離れた場所から画面を見るとピントが合わず立体像にならない為に実用化は困難であった。【０００４】  本考案は、この問題の解決策として光学機器と制御システムを組み合わせて視野角を拡張させることを試みたものである。
【考案の概要】
【考案が解決しようとする課題】
【０００５】  本考案は、裸眼立体視に使われるレンチキュラーレンズで視野角を拡張してどの視聴位置や角度からも立体視を可能とする多視差振り分けレンチキュラーレンズシートを提供することを目的とするものである。
【課題を解決するための手段】
【０００６】  本考案の請求項１記載の多視差レンキュラーレンズシートは、液晶表示部と光を分散する凹レンズと液晶シャッターと複数並べて組み込みレンチキュラーレンズシートを前面に配置させて左右映像入力検出部からの信号をプロセッサ部で、切り換えモジュール部で高周波パルス発振回路からのパルスをカウンタで計数した後液晶シャッターの開閉の順序を変えて液晶表示される映像情報の光を屈折させる制御を行い、多方向に同時に視差を作ることを特徴とするものである。【０００７】  本考案請求項２記載の多視差レンチキュラーレンズシートは、請求項１記載の液晶シャッターを複数設けたレンチキュラーレンズを同時にプロセッサ部などの制御させることを特徴とするものである。【０００８】  本考案請求項３記載の多視差レンチキュラーレンズシートは、請求項１記載の液晶シャッターユニットを切り換えモジュールで２Ｄ映像入力検出部を介して、カウンタの計数を停止して液晶シャッターユニットを全て開放して２Ｄ映像を見やすくすることを特徴としたものである。
【考案の効果】
【０００９】  立体視に使う多視差レンチキュラーレンズを通る光を、屈折させる角度を拡張することができてその屈折角度の方向を左右に振り分けることができる。
【考案を実施するための形態】
【００１０】  以下、本考案の実施の一形態を図１から図３を参照に説明する。図１は、多視差レンチキュラーレンズシートの全体の図である。１は、液晶表示部で２液晶シャッターユニットと３凹レンズを挟んで配置されている。４レンチキュラーレンズシートユニットは複数個の２液晶シャッターユニットの前部に密着されて配置してある。
【００１１】  同じような光学装置が縦横に並べてスクリーン状に形成されて映像装置に使われる画面に配置している。
【００１２】  次に２液晶シャッターを制御する５液晶シャッターコントロール部は、立体映像の再現に必要な６左映像入力検出部や７右映像入力検出部及び８の２Ｄ映像入力検出部から入力される映像信号は、９プロセッサ部を経て１０切り換えモジュールに接続されている。
【００１３】  切り換えモジュール１０は、１１ＲＯＭ回路部に接続されて１２ＤＡＣ回路を経て２液晶シャッターユニットに接続されている。
【００１４】  左右方向に光情報を振り分ける走査を行うため１１ＲＯＭ回路部は１３第１のＲＯＭと１４第２のＲＯＭに１０切り換えモジュールにより１３第１のＲＯＭ及び１４第２のＲＯＭを切り替えることができる。又１１ＲＯＭ回路部を読み出す１５計数部は１６高周波パルス発振回路から１７カウンタを経て１０切り換えモジュールに接続されている。
【００１５】  まず、左映像信号が入力されると常にアドレス信号パルスを出す１５計数部は１６高周波パルス発振回路で高周波の高速パルスを発生して１７カウンタで計数する。１０切り換えモジュールに入ると１３第１のＲＯＭに切り替わり２液晶シャッターユニットを開閉順序の内容を書き込まれている１３第１のＲＯＭから１５計数部からアドレスされて読み出される。
【００１６】  同様に右映像入力されて７右映像検出部から同じような動作が実行されるが２液晶シャッターユニットの開閉順序が左映像検出部から左映像入力時とは順序を逆にする。
【００１７】  ２Ｄ映像の表示には、左右に振り分けは不要であるから２液晶シャッターユニットは全て開放しておくように９プロセッサ部は、８の２Ｄ映像入力検出部からの信号を受けると１２ＤＡＣ回路に命令する。すると２液晶シャッターユニットは全て開いて光を通過させる。光はまっすぐ進み普通に２Ｄ映像としてみることができる。
【００１９】  図２について説明すると、８プロセッサ部から１０切り換えモジュールに接続され、一方１６高周波パルス発振回路から１７カウンタで計数して１０切り換えモジュールに入ると２Ｄ映像入力検出時全開設定モードになり、左映像検出時１３第１のＲＯＭにアドレス信号が行き右映像検出時１４第２のＲＯＭにアドレス信号が入る。
【００２０】  このレンチキュラーレンズシートの制御システムはレンチキュラーレンズシートが並べられたそれぞれのユニットに接続されるので光出力行路は同時に同じ方向で振れる。この振れ幅を拡大すると広範囲でしかも、高速度で振れさせると瞬時に視差情報を得ることができるため立体視の視野角度とむら無しの立体視覚範囲を得ることができる。
【図面の簡単な説明】
【００２１】
【図１】  本考案のレンチキュラーレンズ部の構造と制御回路を示す図である。
【図２】  本考案の制御回路の詳細な図である。
【図３】  本考案のレンチキュラーレンズを通過する光路を示す図である。
【符号の説明】
【００２２】１    液晶表示部
２    液晶シャッターユニット
３    凹レンズ
４    レンチキュラーレンズシートユニット
５    液晶コントロール部
６    左映像入力検出部
７    右映像入力検出部
８    ２Ｄ映像入力検出部
９    プロセッサ部
１０  切り換えモジュール
１１  ＲＯＭ回路部
１２  ＤＡＣ回路
１３  第１のＲＯＭ
１４  第２のＲＯＭ
１５  計数部
１６  高周波パルス発振回路
１７  カウンタ
【図１】
0003176933.tif 000003
【図２】
0003176933.tif 000004
【図３】
0003176933.tif 000005